【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
セルラ通信ネットワークにおいて測位を実行する方法であって、
少なくとも１つのユーザ機器（ＵＥ）についての少なくとも１つの位置要求を第１の基地局から第２の基地局へ送ることと、ここにおいて、前記少なくとも１つのＵＥは前記第１および第２の基地局の双方の無線有効範囲内にあり、前記第１の基地局は、特定のグループのＵＥに制限されたアクセスを提供し、前記第１の基地局は、フェムトセルのために無線有効範囲を提供するホーム基地局を備え、前記第２の基地局は、前記フェムトセルを含むマクロセルのために無線有効範囲を提供する、
前記少なくとも１つのＵＥについての位置情報を前記第２の基地局から受信することと、
前記少なくとも１つのＵＥについての前記位置情報に基づいて前記第１の基地局についての位置推定値を判定することと、
を備え、
前記第１の基地局についての前記位置推定値を判定することは、
前記少なくとも１つのＵＥについての複数の位置推定値を前記位置情報から取得することと、
前記少なくとも１つのＵＥについての前記複数の位置推定値を平均し、前記第１の基地局についての前記位置推定値を取得することと、
を備える、方法。
【請求項２】
前記第１の基地局についての前記位置推定値を前記判定することは、
前記少なくとも１つのＵＥについての複数の往復時間（ＲＴＴ）測定値を取得することと、
前記少なくとも１つのＵＥについての複数の位置推定値を前記位置情報から取得することと、
前記少なくとも１つのＵＥについての前記複数のＲＴＴ測定値及び前記複数の位置推定値に基づいて前記第１の基地局についての前記位置推定値を判定することと
を備える、請求項１に記載の方法。
【請求項３】
前記少なくとも１つのＵＥは複数のＵＥを備え、前記位置情報は前記複数のＵＥについての複数の位置推定値を備え、前記第１の基地局についての前記位置推定値は、前記複数のＵＥについての前記複数の位置推定値に基づいて判定される、請求項１に記載の方法。
【請求項４】
前記少なくとも１つのＵＥは単一のＵＥを備え、前記位置情報は、前記単一のＵＥについて異なる時間に取得された複数の位置推定値を備え、前記第１の基地局についての前記位置推定値は、前記単一のＵＥについての前記複数の位置推定値に基づいて判定される、請求項１に記載の方法。
【請求項５】
ワイヤレス通信のための装置であって、
少なくとも１つのプロセッサを備え、前記少なくとも１つのプロセッサは、
少なくとも１つのユーザ機器（ＵＥ）についての少なくとも１つの位置要求を第１の基地局から第２の基地局へ送ること、ここにおいて、前記少なくとも１つのＵＥは前記第１及び第２の基地局の双方の無線有効範囲内にある、
前記少なくとも１つのＵＥについての位置情報を前記第２の基地局から受信すること、および
前記少なくとも１つのＵＥについての前記位置情報に基づいて前記第１の基地局についての位置推定値を判定すること
を前記第１の基地局に行わせる命令を実行するように構成され、ここにおいて、前記第１の基地局は、特定のグループのＵＥに制限されたアクセスを提供し、前記第１の基地局は、フェムトセルのために無線有効範囲を提供するホーム基地局を備え、前記第２の基地局は、前記フェムトセルを含むマクロセルのために無線有効範囲を提供し、前記少なくとも１つのＵＥは前記フェムトセルへのアクセスを許可されていないＵＥを備える、
前記少なくとも１つのプロセッサは、前記少なくとも１つのＵＥについての複数の位置推定値を前記位置情報から取得すること、および、前記少なくとも１つのＵＥについての前記複数の位置推定値を平均し、前記第１の基地局についての前記位置推定値を取得することを前記装置に実行させる命令を実行するようにさらに構成されている、
前記ワイヤレス通信のための装置は、前記少なくとも１つのプロセッサに結合され、前記命令を記憶するメモリと、
を備える、装置。
【請求項６】
前記少なくとも１つのプロセッサは、前記少なくとも１つのＵＥについての複数の往復時間（ＲＴＴ）測定値を取得すること、前記少なくとも１つのＵＥについての複数の位置推定値を前記位置情報から取得すること、および、前記少なくとも１つのＵＥについての前記複数のＲＴＴ測定値及び前記複数の位置推定値に基づいて前記第１の基地局についての前記位置推定値を判定することを前記装置に実行させる命令を実行するようにさらに構成される、請求項５に記載の装置。
【請求項７】
セルラ通信ネットワークにおいて測位を実行する装置であって、
少なくとも１つのユーザ機器（ＵＥ）についての少なくとも１つの位置要求を第１の基地局から第２の基地局へ送る手段と、ここにおいて、前記少なくとも１つのＵＥは前記第１及び第２の基地局の双方の無線有効範囲内にあり、前記第１の基地局は、特定のグループのＵＥに制限されたアクセスを提供し、前記第１の基地局は、フェムトセルのために無線有効範囲を提供するホーム基地局を備え、前記第２の基地局は、前記フェムトセルを含むマクロセルのために無線有効範囲を提供する、
前記少なくとも１つのＵＥについての位置情報を前記第２の基地局から受信する手段と、
前記少なくとも１つのＵＥについての前記位置情報に基づいて前記第１の基地局についての位置推定値を判定する手段と
を備え、
前記第１の基地局についての前記位置推定値を判定する手段は、
前記少なくとも１つのＵＥについての複数の位置推定値を前記位置情報から取得する手段と、
前記少なくとも１つのＵＥについての前記複数の位置推定値を平均し、前記第１の基地局についての前記位置推定値を取得する手段と
を備える、装置。
【請求項８】
前記第１の基地局についての前記位置推定値を判定する手段は、
前記少なくとも１つのＵＥについての複数の往復時間（ＲＴＴ）測定値を取得する手段と、
前記少なくとも１つのＵＥについての複数の位置推定値を前記位置情報から取得する手段と、
前記少なくとも１つのＵＥについての前記複数のＲＴＴ測定値及び前記複数の位置推定値に基づいて前記第１の基地局についての前記位置推定値を判定する手段と
を備える、請求項７に記載の装置。
【請求項９】
コンピュータ読み取り可能記録媒体であって、
少なくとも１つのコンピュータに、少なくとも１つのユーザ機器（ＵＥ）についての少なくとも１つの位置要求を第１の基地局から第２の基地局へ送ることを実行させるコードと、ここにおいて、前記少なくとも１つのＵＥは前記第１及び第２の基地局の双方の無線有効範囲内にあり、前記第１の基地局は、特定のグループのＵＥに制限されたアクセスを提供し、前記第１の基地局は、フェムトセルのために無線有効範囲を提供するホーム基地局を備え、前記第２の基地局は、前記フェムトセルを含むマクロセルのために無線有効範囲を提供する、
前記少なくとも１つのコンピュータに、前記少なくとも１つのＵＥについての位置情報を前記第２の基地局から受信することを実行させるコードと、
前記少なくとも１つのコンピュータに、前記少なくとも１つのＵＥについての前記位置情報に基づいて前記第１の基地局についての位置推定値を判定することを実行させるコードと
を備え、
前記少なくとも１つのコンピュータに、前記第１の基地局についての前記位置推定値を判定することを実行させるコードは、
前記少なくとも１つのコンピュータに、前記少なくとも１つのＵＥについての複数の位置推定値を前記位置情報から取得することを実行させるコードと、
前記少なくとも１つのコンピュータに、前記少なくとも１つのＵＥについての前記複数の位置推定値を平均し、前記第１の基地局についての前記位置推定値を取得することを実行させるコードと
を備えるコンピュータ読み取り可能記録媒体。
【請求項１０】
前記コンピュータ読み取り可能記録媒体はさらに、
前記少なくとも１つのコンピュータに、前記少なくとも１つのＵＥについての複数の往復時間（ＲＴＴ）測定値を取得することを実行させるコードと、
前記少なくとも１つのコンピュータに、前記少なくとも１つのＵＥについての複数の位置推定値を前記位置情報から取得することを実行させるコードと、
前記少なくとも１つのコンピュータに、前記少なくとも１つのＵＥについての前記複数のＲＴＴ測定値及び前記複数の位置推定値に基づいて前記第１の基地局についての前記位置推定値を判定することを実行させるコードと
を備える、請求項９に記載のコンピュータ読み取り可能記録媒体。
【請求項１１】
セルラ通信ネットワークにおいて測位を実行する方法であって、
第１の基地局についての位置要求を第２の基地局で受信することと、ここにおいて、前記第１の基地局は、特定のグループのＵＥに制限されたアクセスを提供し、前記第１の基地局は、フェムトセルのために無線有効範囲を提供するホーム基地局を備え、前記第２の基地局は、前記フェムトセルを含むマクロセルのために無線有効範囲を提供する、
前記第１及び第２の基地局の双方の無線有効範囲内の少なくとも１つのユーザ機器（ＵＥ）についての位置情報を取得することと、
前記少なくとも１つのＵＥについての前記位置情報に基づいて前記第１の基地局についての位置推定値を判定することと、
前記位置推定値を前記第１の基地局へ送ることと
を備え、
前記第１の基地局についての前記位置推定値を判定することは、
前記少なくとも１つのＵＥについての複数の位置推定値を前記位置情報から取得することと、
前記少なくとも１つのＵＥについての前記複数の位置推定値を平均し、前記第１の基地局についての前記位置推定値を取得することと
を備える方法。
【請求項１２】
前記第１の基地局についての前記位置推定値を判定することは、
前記少なくとも１つのＵＥについての複数の往復時間（ＲＴＴ）測定値を取得することと、
前記少なくとも１つのＵＥについての複数の位置推定値を前記位置情報から取得することと、
前記少なくとも１つのＵＥについての前記複数のＲＴＴ測定値及び前記複数の位置推定値に基づいて前記第１の基地局についての前記位置推定値を判定することと
を備える、請求項１１に記載の方法。
【請求項１３】
セルラ通信ネットワークにおいて測位を実行する方法であって、
第１の基地局についての位置要求を第２の基地局で受信することと、ここにおいて、前記第１の基地局は、特定のグループのＵＥに制限されたアクセスを提供し、前記第１の基地局は、フェムトセルのために無線有効範囲を提供するホーム基地局を備え、前記第２の基地局は、前記フェムトセルを含むマクロセルのために無線有効範囲を提供する、
前記第１及び第２の基地局の双方の無線有効範囲内の少なくとも１つのユーザ機器（ＵＥ）についての位置情報を取得することと、
前記少なくとも１つのＵＥについての位置情報に基づいて前記第１の基地局についての位置推定値を判定することと、
前記位置推定値を前記第１の基地局へ送ることと
を備え、
前記第１の基地局についての前記位置推定値を判定することは、
前記少なくとも１つのＵＥについての複数の往復時間（ＲＴＴ）測定値を取得することと、
前記少なくとも１つのＵＥについての複数の位置推定値を前記位置情報から取得することと、
前記少なくとも１つのＵＥについての前記複数のＲＴＴ測定値及び前記複数の位置推定値に基づいて前記第１の基地局についての前記位置推定値を判定することと
を備え、
前記少なくとも１つのＵＥについての前記複数のＲＴＴ測定値を取得することは、
少なくとも１つのＲＴＴ要求を前記第１の基地局へ送ることと、
前記少なくとも１つのＵＥについての前記複数のＲＴＴ測定値を前記第１の基地局から受信することと
を備える方法。
【請求項１４】
前記少なくとも１つのＵＥについての前記複数のＲＴＴ測定値を取得することは、前記少なくとも１つのＵＥから前記複数のＲＴＴ測定値を受信することを備える、請求項１２に記載の方法。
【請求項１５】
前記少なくとも１つのＵＥを含むＵＥのリストを前記第１の基地局から受信することをさらに備える、請求項１１に記載の方法。
【請求項１６】
前記少なくとも１つのＵＥから受信された測定値レポートに基づいて前記少なくとも１つのＵＥを特定することをさらに備える、請求項１１に記載の方法。
【請求項１７】
前記少なくとも１つのＵＥは複数のＵＥを備え、前記位置情報は前記複数のＵＥについての複数の位置推定値を備え、前記第１の基地局についての前記位置推定値は、前記複数のＵＥについての前記複数の位置推定値に基づいて判定される、請求項１１に記載の方法。
【請求項１８】
前記少なくとも１つのＵＥは単一のＵＥを備え、前記位置情報は、前記単一のＵＥについて異なる時間に取得された複数の位置推定値を備え、前記第１の基地局についての前記位置推定値は、前記単一のＵＥについての前記複数の位置推定値に基づいて判定される、請求項１１に記載の方法。
【請求項１９】
前記少なくとも１つのＵＥについての前記位置情報を取得すること及び前記第１の基地局についての前記位置推定値を判定することは、前記第１の基地局についての前記位置要求を受信することの前に実行され、前記位置推定値を前記第１の基地局へ送ることは、前記位置要求の受信に応答して実行される、請求項１１に記載の方法。
【請求項２０】
前記第１の基地局を備える複数の基地局についての位置推定値のデータベースを保持することと、
前記複数の基地局の無線有効範囲内のＵＥについての位置推定値が利用可能になったとき、前記複数の基地局についての前記位置推定値を更新することと
をさらに備える、請求項１１に記載の方法。
【請求項２１】
ワイヤレス通信のための装置であって、
第１の基地局についての位置要求を第２の基地局で受信することと、前記第１及び第２の基地局の双方の無線有効範囲内の少なくとも１つのユーザ機器（ＵＥ）についての位置情報を取得することと、前記少なくとも１つのＵＥについての前記位置情報に基づいて前記第１の基地局についての位置推定値を判定することと、前記位置推定値を前記第１の基地局へ送ることと
を前記装置に実行させる命令を実行するように構成された少なくとも１つのプロセッサと、ここにおいて、前記第１の基地局は、特定のグループのＵＥに制限されたアクセスを提供し、前記第１の基地局は、フェムトセルのために無線有効範囲を提供するホーム基地局を備え、前記第２の基地局は、前記フェムトセルを含むマクロセルのために無線有効範囲を提供し、前記少なくとも１つのＵＥは前記フェムトセルへのアクセスを許可されていないＵＥを備える、
ここにおいて、前記少なくとも１つのプロセッサは、前記少なくとも１つのＵＥについての複数の位置推定値を前記位置情報から取得し、そして、前記少なくとも１つのＵＥについての前記複数の位置推定値を平均し、前記第１の基地局についての前記位置推定値を取得することによって前記第１の基地局についての前記位置推定値を判定することを前記装置に実行させる命令を実行するようにさらに構成され、
前記少なくとも１つのプロセッサに結合され、前記命令を記憶するメモリと、
を備える、装置。
【請求項２２】
前記少なくとも１つのプロセッサは、前記少なくとも１つのＵＥについての複数の往復時間（ＲＴＴ）測定値を取得することと、前記少なくとも１つのＵＥについての複数の位置推定値を前記位置情報から取得することと、前記少なくとも１つのＵＥについての前記複数のＲＴＴ測定値及び前記複数の位置推定値に基づいて前記第１の基地局についての前記位置推定値を判定することを前記装置に実行させる命令を実行するようにさらに構成される、請求項２１に記載の装置。
【請求項２３】
前記少なくとも１つのプロセッサは、前記第１の基地局に少なくとも１つのＲＴＴ要求を送ることと、前記少なくとも１つのＵＥについての前記複数のＲＴＴ測定値を前記第１の基地局から受信することを前記装置に実行させる命令を実行するようにさらに構成される、請求項２２に記載の装置。
【請求項２４】
前記少なくとも１つのＵＥは、測位のために有効な下位レベルシグナリングを前記第１の基地局と交換する能力を有する、請求項１に記載の方法。
【請求項２５】
セルラ通信ネットワークにおいて測位を実行する装置であって、
第１の基地局についての位置要求を第２の基地局で受信する手段と、ここにおいて、前記第１の基地局は、特定のグループのＵＥに制限されたアクセスを提供し、前記第１の基地局は、フェムトセルのために無線有効範囲を提供するホーム基地局を備え、前記第２の基地局は、前記フェムトセルを含むマクロセルのために無線有効範囲を提供する、
前記第１及び第２の基地局の双方の無線有効範囲内の少なくとも１つのユーザ機器（ＵＥ）についての位置情報を取得する手段と、
前記少なくとも１つのＵＥについての前記位置情報に基づいて前記第１の基地局についての位置推定値を判定する手段と、
前記位置推定値を前記第１の基地局へ送る手段と
を備え、
前記第１の基地局についての前記位置推定値を判定する手段は、
前記少なくとも１つのＵＥについての複数の位置推定値を前記位置情報から取得し、そして、
前記少なくとも１つのＵＥについての前記複数の位置推定値を平均し、前記第１の基地局についての前記位置推定値を取得する
ように構成される装置。
【請求項２６】
コンピュータ読み取り可能記録媒体であって、
少なくとも１つのコンピュータに、第１の基地局についての位置要求を第２の基地局で受信することを実行させるためのコードと、ここにおいて、前記第１の基地局は、特定のグループのＵＥに制限されたアクセスを提供し、前記第１の基地局は、フェムトセルのために無線有効範囲を提供するホーム基地局を備え、前記第２の基地局は、前記フェムトセルを含むマクロセルのために無線有効範囲を提供する、
前記少なくとも１つのコンピュータに、前記第１及び第２の基地局の双方の無線有効範囲内の少なくとも１つのユーザ機器（ＵＥ）についての位置情報を取得することを実行させるためのコードと、
前記少なくとも１つのコンピュータに、前記少なくとも１つのＵＥについての前記位置情報に基づいて前記第１の基地局についての位置推定値を判定することを実行させるためのコードと、
前記少なくとも１つのコンピュータに、前記位置推定値を前記第１の基地局へ送ることを実行させるためのコードと
を備え、
前記少なくとも１つのコンピュータに、前記第１の基地局についての前記位置推定値を判定することを実行させるためのコードは、
前記少なくとも１つのコンピュータに、前記少なくとも１つのＵＥについての複数の位置推定値を前記位置情報から取得することを実行させるためのコードと、
前記少なくとも１つのコンピュータに、前記少なくとも１つのＵＥについての前記複数の位置推定値を平均し、前記第１の基地局についての前記位置推定値を取得することを実行させるためのコードと
を備えるコンピュータ読み取り可能記録媒体。
【請求項２７】
セルラ通信ネットワークにおいて測位を実行する装置であって、
第１の基地局についての位置要求を第２の基地局で受信する手段と、ここにおいて、前記第１の基地局は、特定のグループのＵＥに制限されたアクセスを提供し、前記第１の基地局は、フェムトセルのために無線有効範囲を提供するホーム基地局を備え、前記第２の基地局は、前記フェムトセルを含むマクロセルのために無線有効範囲を提供する、
前記第１及び第２の基地局の双方の無線有効範囲内の少なくとも１つのユーザ機器（ＵＥ）についての位置情報を取得する手段と、
前記少なくとも１つのＵＥについての前記位置情報に基づいて前記第１の基地局についての位置推定値を判定する手段と、
前記位置推定値を前記第１の基地局へ送る手段と
を備え、
前記第１の基地局についての前記位置推定値を判定する手段は、
前記少なくとも１つのＵＥについての複数の往復時間（ＲＴＴ）測定値を取得し、
前記少なくとも１つのＵＥについての複数の位置推定値を前記位置情報から取得し、
前記少なくとも１つのＵＥについての前記複数のＲＴＴ測定値及び前記複数の位置推定値に基づいて前記第１の基地局についての前記位置推定値を判定する
ように構成され、
前記判定する手段は、
少なくとも１つのＲＴＴ要求を前記第１の基地局へ送ることと、
前記少なくとも１つのＵＥについての前記複数のＲＴＴ測定値を前記第１の基地局から受信することと
によって、前記少なくとも１つのＵＥについての前記複数のＲＴＴ測定値を取得するように構成される、装置。
【請求項２８】
コンピュータ読み取り可能記録媒体であって、
少なくとも１つのコンピュータに、第１の基地局についての位置要求を第２の基地局で受信することを実行させるためのコードと、ここにおいて、前記第１の基地局は、特定のグループのＵＥに制限されたアクセスを提供し、前記第１の基地局は、フェムトセルのために無線有効範囲を提供するホーム基地局を備え、前記第２の基地局は、前記フェムトセルを含むマクロセルのために無線有効範囲を提供する、
前記少なくとも１つのコンピュータに、前記第１及び第２の基地局の双方の無線有効範囲内の少なくとも１つのユーザ機器（ＵＥ）についての位置情報を取得することを実行させるためのコードと、
前記少なくとも１つのコンピュータに、前記少なくとも１つのＵＥについての前記位置情報に基づいて前記第１の基地局についての位置推定値を判定することを実行させるためのコードと、
前記少なくとも１つのコンピュータに、前記位置推定値を前記第１の基地局へ送ることを実行させるためのコードと
を備え、
前記少なくとも１つのコンピュータに、前記第１の基地局についての前記位置推定値を判定することを実行させるためのコードは、
前記少なくとも１つのコンピュータに、前記少なくとも１つのＵＥについての複数の往復時間（ＲＴＴ）測定値を取得することを実行させるためのコードと、
前記少なくとも１つのコンピュータに、前記少なくとも１つのＵＥについての複数の位置推定値を前記位置情報から取得することを実行させるためのコードと、
前記少なくとも１つのコンピュータに、前記少なくとも１つのＵＥについての前記複数のＲＴＴ測定値及び前記複数の位置推定値に基づいて前記第１の基地局についての前記位置推定値を判定することを実行させるためのコードと
を備え、
前記少なくとも１つのコンピュータに、前記少なくとも１つのＵＥについての前記複数のＲＴＴ測定値を取得することを実行させるためのコードは、
前記少なくとも１つのコンピュータに、少なくとも１つのＲＴＴ要求を前記第１の基地局へ送ることを実行させるためのコードと、
前記少なくとも１つのコンピュータに、前記少なくとも１つのＵＥについての前記複数のＲＴＴ測定値を前記第１の基地局から受信することを実行させるためのコードと
を備えるコンピュータ読み取り可能記録媒体。
【請求項２９】
セルラ通信ネットワークにおいて測位を実行する装置であって、
第１の基地局についての位置要求を第２の基地局で受信することと、ここにおいて、前記第１の基地局は、特定のグループのＵＥに制限されたアクセスを提供し、前記第１の基地局は、フェムトセルのために無線有効範囲を提供するホーム基地局を備え、前記第２の基地局は、前記フェムトセルを含むマクロセルのために無線有効範囲を提供する、
前記第１及び第２の基地局の双方の無線有効範囲内の少なくとも１つのユーザ機器（ＵＥ）についての位置情報を取得することと、
前記少なくとも１つのＵＥについての前記位置情報に基づいて前記第１の基地局についての位置推定値を判定することと、
前記位置推定値を前記第１の基地局へ送ることと
を前記装置に実行させる命令を実行するように構成された少なくとも１つのプロセッサと、
ここにおいて、前記少なくとも１つのプロセッサは、
前記少なくとも１つのＵＥについての複数の往復時間（ＲＴＴ）測定値を取得し、
前記少なくとも１つのＵＥについての複数の位置推定値を前記位置情報から取得し、そして、
前記少なくとも１つのＵＥについての前記複数のＲＴＴ測定値及び前記複数の位置推定値に基づいて前記第１の基地局についての前記位置推定値を判定すること
によって前記第１の基地局についての前記位置推定値を判定することを前記装置に実行させる命令を実行するようにさらに構成され、
ここにおいて、前記少なくとも１つのプロセッサは、
少なくとも１つのＲＴＴ要求を前記第１の基地局へ送り、そして、
前記少なくとも１つのＵＥについての前記複数のＲＴＴ測定値を前記第１の基地局から受信すること
によって前記少なくとも１つのＵＥについての前記複数のＲＴＴ測定値を取得することを前記装置に実行させる命令を実行するように構成される、
前記少なくとも１つのプロセッサに結合され、前記命令を記憶するメモリと
を備える、装置。